(57)【要約】【課題】複数の制御装置から複数の回転部材に加えられる力が低下するという異常を検出することの可能な変速機の異常検出装置を提供する。【解決手段】複数の制御装置Ｂ１，Ｂ２から、複数の回転部材２１，２８に加えられる力を制御することにより、変速機１９の変速比を制御するとともに、複数の回転部材２１，２８に加えられる力を判断することにより、複数の制御装置Ｂ１，Ｂ２の異常を判断することの可能な変速機の異常検出装置において、複数の回転部材２１，２８に加えられる力が、第１の所定値未満であり、かつ、第１の所定値よりも小さい第２の所定値未満である場合に、複数の制御装置Ｂ１，Ｂ２から複数の回転部材に加えられる力が低下していると判断する判断装置３２を有する。【選択図】  図１
2005009590.tif 000002
【特許請求の範囲】
【請求項１】
変速機が複数の回転部材を有しており、複数の制御装置から複数の回転部材にそれぞれ加えられる力を制御することにより、前記変速機の変速比を制御するとともに、前記複数の回転部材に加えられる力を判断することにより、前記複数の制御装置の異常を判断することの可能な変速機の異常検出装置において、
複数の回転部材に加えられる力が、第１の所定値未満であり、かつ、第１の所定値よりも小さい第２の所定値未満である場合に、複数の制御装置から複数の回転部材に加えられる力がそれぞれ低下していると判断する判断装置を有することを特徴とする変速機の異常検出装置。
【請求項２】
第１の駆動力源および第２の駆動力源の動力が車輪に伝達されるように構成され、前第２の駆動力源から前記車輪に至る動力伝達経路に前記変速機が配置されていることを特徴とする請求項１に記載の変速機の異常検出装置。
【請求項３】
前記複数の制御装置には油圧制御式の摩擦係合装置が含まれており、前記複数の回転部材に加えられる力を油圧に基づいて判断する機能を、前記判断装置が有していることを特徴とする請求項１または２に記載の変速機の異常検出装置。
【請求項４】
前記摩擦係合装置に油圧を伝達するオイルが流れる油路が設けられており、この油路には、他の部位よりもオイルの流通面積が狭められた絞り部が形成されており、前記油路であって、前記摩擦係合装置へオイルを供給する方向で、前記絞り部よりも上流に第１の油圧検知装置および第２の油圧検知装置が設けられており、前記第１の油圧検知装置の検知信号により、前記油路の油圧が前記第１の所定値未満であるか否かが判断され、前記第２の油圧検知装置の検知信号により、前記油路の油圧が前記第２の所定値未満であるか否かが判断される構成であることを特徴とする請求項３に記載の変速機の異常検出装置。
【請求項５】
前記複数の回転部材に加えられる力がそれぞれ低下していると判断された場合に、前記第２の駆動力源の回転速度の上昇を抑制する回転速度抑制装置が設けられていることを特徴とする請求項２ないし４のいずれかに記載の変速機の異常検出装置。
【請求項６】
前記複数の回転部材に加えられる力がそれぞれ低下していると判断された場合に、前記第１の駆動力源から前記車輪に伝達される動力により、車両の駆動力を生成する駆動力制御装置が設けられていることを特徴とする請求項２に記載の変速機の異常検出装置。
【発明の詳細な説明】
【０００１】
【発明の属する技術分野】
この発明は、変速機の変速比を制御する制御装置の異常を検出する変速機の異常検出装置に関するものである。
【０００２】
【従来の技術】
車両用の自動変速機として油圧制御式の自動変速機が知られており、このような自動変速機としては、有段変速機、例えば、遊星歯車機構および複数の摩擦係合装置を有する自動変速機が知られている。このような自動変速機においては、摩擦係合装置の係合・解放を切り換えることにより、変速比が制御される。一方、摩擦係合装置に油圧を供給するシステムがフェールした場合は、変速比の制御機能が低下するため。システムのフェールを検出するフェールセーフ装置が提案されており、そのフェールセーフ装置の一例が、特許文献１に記載されている。
【０００３】
この特許文献１に記載された車両は、エンジンの出力トルクが自動変速機を経由して駆動輪に伝達される構成となっている。この自動変速機は、フロント遊星歯車組およびリヤ遊星歯車組を有するとともに、クラッチ、ブレーキなどの摩擦係合要素を備えている。そして、各摩擦係合要素に供給される作動油圧をソレノイドバルブユニットによって制御することで、各摩擦係合要素の係合・解放を制御して、変速がおこなわれる構成となっている。また、各摩擦係合要素に供給される油圧に応じてスイッチング動作する油圧スイッチが設けられている。この油圧スイッチは、設定圧よりも実際の油圧が高いときにオン信号を出力し、設定圧よりも実際の油圧が低いときにオフ信号を出力する構成となっている。そして、油圧スイッチの信号がコントロールユニットに送られて、正常時には同時にオンすることのない複数の油圧スイッチが、共にオンである場合、つまり、複数の摩擦係合要素が共に係合される場合は、油圧の異常状態であると判別される。
【０００４】
【特許文献１】
特開２０００−９２２４号公報（段落番号００２４ないし段落番号００３１、図４、図５、図６、図８、図９）
【０００５】
【発明が解決しようとする課題】
しかしながら、上記の特許文献１に記載されているフェールセーフ装置においては、「複数の摩擦係合要素が共に係合される」という異常を検出することはできるが、「複数の摩擦係合要素が共に解放される」という異常を検出することはできない問題があった。
【０００６】
この発明は上記の事情を背景としてなされたものであり、複数の制御装置から複数の回転部材に加えられる力がそれぞれが低下する異常を検出することの可能な変速機の異常検出装置を提供することを目的としている。
【０００７】
【課題を解決するための手段およびその作用】
上記の目的を達成するために、請求項１の発明は、変速機が複数の回転部材を有しており、複数の制御装置から複数の回転部材にそれぞれ加えられる力を制御することにより、前記変速機の変速比を制御するとともに、前記複数の回転部材に加えられる力を判断することにより、前記複数の制御装置の異常を判断することの可能な変速機の異常検出装置において、複数の回転部材に加えられる力が、第１の所定値未満であり、かつ、第１の所定値よりも小さい（言い換えれば、弱い、低い、少ない）第２の所定値未満である場合に、複数の制御装置から複数の回転部材に加えられる力がそれぞれ低下していると判断する判断装置を有することを特徴とする発明である。
【０００８】
請求項１の発明によれば、各制御装置から各回転部材に加えられる力が、第１の所定値未満であり、かつ、第２の所定値未満である場合は、「複数の制御装置から各回転部材に加えられる力がそれぞれ低下している異常」と判断される。
【０００９】
請求項２の発明は、請求項１の構成に加えて、第１の駆動力源および第２の駆動力源の動力が車輪に伝達されるように構成され、前第２の駆動力源から前記車輪に至る動力伝達経路に前記変速機が配置されていることを特徴とする発明である。ここで、第１の駆動力源と第２の駆動力源として種類が異なるもの、例えば、動力の発生原理が異なる駆動力源を用いることが可能である。
【００１０】
請求項２の発明によれば、請求項１の発明の作用に加えて、第２の駆動力源から車輪に至る動力伝達経路に設けられている変速機の異常が検出される。
【００１１】
請求項３の発明は、請求項１または２の構成に加えて、前記複数の制御装置には油圧制御式の摩擦係合装置が含まれており、前記複数の回転部材に加えられる力を油圧に基づいて判断する機能を、前記判断装置が有していることを特徴とする発明である。
【００１２】
請求項３の発明によれば、請求項１または２の発明の作用に加えて、摩擦係合装置に作用する油圧に基づいて、前記異常が検出される。
【００１３】
請求項４の発明は、請求項３の構成に加えて、前記摩擦係合装置に油圧を伝達するオイルが流れる油路が設けられており、この油路には、他の部位よりもオイルの流通面積が狭められた絞り部が形成されており、前記油路であって、前記摩擦係合装置へオイルを供給する方向で、前記絞り部よりも上流に第１の油圧検知装置および第２の油圧検知装置が設けられており、前記第１の油圧検知装置の検知信号により、前記油路の油圧が前記第１の所定値未満であるか否かが判断され、前記第２の油圧検知装置の検知信号により、前記油路の油圧が前記第２の所定値未満であるか否かが判断される構成であることを特徴とする発明である。
【００１４】
請求項４の発明によれば、請求項３の発明の作用に加えて、摩擦係合装置へオイルを供給する方向で、絞り部よりも上流においては、摩擦係合装置に作用する油圧の変化よりも、油圧の変化が早期に現れる。このため、摩擦係合装置に作用する油圧の低下をなるべく早期に判断できる。
【００１５】
請求項５の発明は、請求項２ないし４のいずれかの構成に加えて、前記複数の回転部材に加えられる力がそれぞれ低下していると判断された場合に、前記第２の駆動力源の回転速度の上昇を抑制する回転速度抑制装置が設けられていることを特徴とする発明である。
【００１６】
請求項５の発明によれば、請求項２ないし４のいずれかの発明の作用に加えて、複数の制御装置から複数の回転部材に加えられる力が低下する異常があると判断された場合は、第２の駆動力源の回転速度の上昇が抑制される。
【００１７】
請求項６の発明は、請求項２の構成に加えて、前記複数の回転部材に加えられる力がそれぞれ低下していると判断された場合に、前記第１の駆動力源から前記車輪に伝達される動力により、車両の駆動力を生成する駆動力制御装置が設けられていることを特徴とする発明である。
【００１８】
請求項６の発明によれば、請求項２の発明の作用に加えて、複数の制御装置から回転部材に加えられる力が低下する異常がある場合は、第１の駆動力源から車輪に伝達される動力により、車両の駆動力が生成される。なお、各請求項において、「異常」には「機能の低下」、「フェール」などの概念が含まれる。
【００１９】
【発明の実施の形態】
つぎに、この発明を図面を参照しながら具体的に説明する。図１は、この発明を用いることの可能な車両の一例を示す。図１に示された車両Ｖｅは、Ｆ・Ｒ（フロントエンジン・リヤドライブ；エンジン前置き後輪駆動）形式のハイブリッド車（以下、「車両」と略記する）Ｖｅの概略構成図である。図１において、車両Ｖｅは、第１の駆動力源としてのエンジンを有している。エンジン１は燃料を燃焼させて、その熱エネルギを運動エネルギに変換する動力装置である。
【００２０】
前記エンジン１としては内燃機関、具体的にはガソリンエンジン、ディーゼルエンジン、ＬＰＧエンジンなどを用いることができる。このエンジン１のクランクシャフト２には、ダンパ機構３を経由してインプットシャフト４が連結されている。また、ケーシング５が設けられており、ケーシング５の内部には、モータ・ジェネレータ６およびモータ・ジェネレータ７が設けられている。このモータ・ジェネレータ７およびモータ・ジェネレータ６としては、電気エネルギを運動エネルギに変換する力行機能と、運動エネルギを電気エネルギに変換する回生機能とを兼備したモータ・ジェネレータを用いることができる。つまり、エンジン１とモータ・ジェネレータ６，７とは、動力の発生原理が異なる。モータ・ジェネレータ６は、ステータ８およびロータ９を有しており、ステータ８はケーシング５に固定されている。
【００２１】
また、ケーシング５の内部には、動力分配装置１０が設けられている。この動力分配装置１０は、シングルピニオン形式の遊星歯車機構により構成されている。すなわち、動力分配装置１０は、中空シャフト１１に形成されたサンギヤ１２と、サンギヤ１２と同心状に配置されたリングギヤ１３と、サンギヤ１２およびリングギヤ１３に噛合するピニオンギヤ１４を保持したキャリヤ１５とを有している。そして、インプットシャフト４とキャリヤ１５とが一体回転するように連結されている。また、インプットシャフト４は中空シャフト１１内に配置され、インプットシャフト４と中空シャフト１１とは相対回転可能である。
【００２２】
一方、前記モータ・ジェネレータ７は、ステータ１７およびロータ１８を有している。ステータ１７はケーシング５に固定されている。なお、モータ・ジェネレータ６，７に電力を供給する蓄電装置（図示せず）が設けられている。蓄電装置とモータ・ジェネレータ６，７との間に形成されている電気回路には、インバータ（図示せず）が設けられている。このインバータにより、モータ・ジェネレータ６，７に供給される電力の電流値が制御されて、モータ・ジェネレータ６，７の回転速度が制御される。なお、蓄電装置としては、バッテリ、キャパシタなどを用いることが可能である。
【００２３】
また、ケーシング５の内部、具体的には、モータ・ジェネレータ７からアウトプットシャフト（後述する）に至る動力伝達経路に変速機１９が設けられている、この変速機１９は、遊星歯車機構を有する変速機である。すなわち、変速機１９は、同心状に配置されたサンギヤ２０およびリングギヤ２１と、一体回転する大径ピニオンギヤ２２および小径ピニオンギヤ２３と、ショートピニオンギヤ５０と、大径ピニオンギヤ２２および小径ピニオンギヤ２３およびショートピニオンギヤ５０を一体的に公転可能、かつ、個々のギヤ毎に自転可能に保持するキャリヤ２４とを有している。そして、ショートピニオンギヤ５０がサンギヤ２０およびリングギヤ２１に噛合され、このショートピニオンギヤ５０に大径ピニオンギヤ２２が噛合されているとともに、大径ピニオンギヤ２２と一体の小径ピニオンギヤ２３が、サンギヤ２８に噛合されている。サンギヤ２８の歯数は、サンギヤ２０の歯数よりも多く設定されている。このように、変速機１９は、ラビニョ型遊星歯車機構を主体として構成されている。
【００２４】
前記キャリヤ２４にはアウトプットシャフト２５が一体回転するように連結され、インプットシャフト４とアウトプットシャフト２５とが同心状に配置されている。また、アウトプットシャフト２５と、動力分配装置１０のリングギヤ１３とが一体回転するように連結されている。アウトプットシャフト２５の外側には中空シャフト２６が配置されており、アウトプットシャフト２５と中空シャフト２６とは相対回転可能である。この中空シャフト２６とモータ・ジェネレータ７のロータ１８とが一体回転するように連結されている。
【００２５】
さらに、中空シャフト２６とサンギヤ２０とが一体回転するように連結されている。さらにまた、小径ピニオンギヤ２３に噛合するサンギヤ２８が設けられており、サンギヤ２８の回転を許可または規制するブレーキＢ１が設けられている。さらにまた、リングギヤ２１の回転を許可または規制するブレーキＢ２が設けられている。この実施例においては、ブレーキＢ１，Ｂ２として油圧制御式の摩擦係合装置が用いられている。具体的には、ピストンおよび環状のプレートを有しており、油圧室（後述）の油圧が高まると、ピストンが所定方向に動作してブレーキＢ１，Ｂ２が係合され、油圧室の油圧が低下すると、ピストンが逆方向に動作してブレーキＢ１，Ｂ２が解放される。このように、油圧制御装置５２から油圧室に伝達される油圧により、ブレーキＢ１，Ｂ２の係合・解放が制御される。つまり、ブレーキＢ１，Ｂ２の制動力が制御される。
【００２６】
一方、アウトプットシャフト２５と、デファレンシャル２９の入力部材（図示せず）とが、プロペラシャフト（図示せず）により連結されている。また、デファレンシャル２９の回転部材（図示せず）とドライブシャフト３０とが連結されている。さらに、ドライブシャフト３０には車輪３１が連結されている。
【００２７】
つぎに、車両Ｖｅの制御系統について説明する。電子制御装置３２が設けられており、電子制御装置３２には、始動スイッチ５３の信号、シフトポジションセンサ５４の信号、車速センサ５５の信号、加速要求検知センサ５６の信号、制動要求検知センサ５７の信号、エンジン回転速度センサ５８の信号などが入力される。始動スイッチ５３は車両Ｖｅのシステムを制御する要求を検知するスイッチであり、始動スイッチ５３により、例えば、オフ（ロック）、アクセサリ、オン、スタートに対応する信号を出力する。シフトポジションセンサ５４により検知されるシフトポジションとしては、例えば、Ｐ（パーキング）ポジション、Ｒ（リバース）ポジション、Ｎ（ニュートラル）ポジション、Ｄ（ドライブ）ポジションがある。ここで、ＰポジションおよびＮポジションは、変速機１９を動力伝達不可能可能な状態とする場合に選択されるポジションであり、ＤポジションおよびＲポジションは、変速機１９を動力伝可能な状態とする場合に選択されるポジションである。また、加速要求検知センサ５６は、アクセル開度またはスロットル開度を検知するセンサである。
【００２８】
電子制御装置３２からは、エンジン１を制御する信号、モータ・ジェネレータ６を制御する信号、モータ・ジェネレータ７を制御する信号、電動オイルポンプ５１を制御する信号、油圧制御装置５２を制御する信号などが出力される。そして、電動オイルポンプ５１から吐出されたオイルが油圧制御装置５２に送られる。この油圧制御装置５２の構成については後述する。
【００２９】
図１に示す車両Ｖｅにおいては、例えば、Ｄポジションが選択されている場合に、電子制御装置３２に入力される信号および電子制御装置３２に記憶されているデータに基づいて、エンジン走行モード、電気自動車（ＥＶ）モード、ハイブリッドモードのいずれかの駆動モードを選択的に切換可能である。エンジン走行モードが選択された場合は、エンジン１が駆動され、モータ・ジェネレータ７への電力の供給が停止される。エンジン１が自律回転している場合、エンジントルクは、インプットシャフト４、キャリヤ１５、リングギヤ１３を経由してアウトプットシャフト２５に伝達される。アウトプットシャフト２５のトルクは、プロペラシャフト（図示せず）、デファレンシャル２９、ドライブシャフト３０を経由して車輪３１に伝達されて、駆動力が発生する。なお、エンジントルクを動力分配装置１０を経由させてモータ・ジェネレータ６に伝達し、モータ・ジェネレータ６を発電機として起動させて、発電された電力を蓄電装置に蓄電することも可能である。
【００３０】
これに対して、電気自動車モードが選択された場合は、モータ・ジェネレータ７が電動機として起動され、モータ・ジェネレータ７のトルクが変速機１９を経由させて車輪３１に伝達される。また、ハイブリッドモードが選択された場合は、エンジン１およびモータ・ジェネレータ７が共に駆動され、エンジン１のトルクおよびモータ・ジェネレータ７のトルクが、共に車輪３１に伝達される。
【００３１】
前記電気自動車モードまたはハイブリッドモードが選択された場合は、２種類の変速モードを選択可能であり、この変速モードに基づいて、変速機１９の変速比が制御される。この変速モードは、車速、要求駆動力などに基づいて判断され、低速モード（ローモード）または高速モード（ハイモード）のいずれかを選択できる。たとえば、車速が所定車速以下であり、かつ、要求駆動力が所定値以上である場合は、低速モードが選択される。これに対して、車速が所定車速を越え、かつ、要求駆動力が所定値未満である場合は、高速モードが選択される。
【００３２】
低速モードが選択された場合は、ブレーキＢ１が解放され、かつ、ブレーキＢ２が係合される。この低速モードが選択され、かつ、モータ・ジェネレータ７のトルクがサンギヤ２０に伝達された場合は、リングギヤ２１が反力要素となり、サンギヤ２０のトルクが、キャリヤ２４およびアウトプットシャフト２５およびデファレンシャル２９を経由して車輪３１に伝達される。ここで、モータ・ジェネレータ７の回転速度よりも、アウトプットシャフト２５の回転速度の方が低速となる。なお、低モードが選択された場合における変速機１９の変速比は、「ロー（最大変速比）」である。
【００３３】
一方、高速モードが選択された場合は、ブレーキＢ２が解放され、かつ、ブレーキＢ１が係合される。モータ・ジェネレータ７が電動機として駆動され、かつ、高速モードが選択された場合は、サンギヤ２８が反力要素となり、サンギヤ２０のトルクが、キャリヤ２４およびアウトプットシャフト２５およびデファレンシャル２９を経由して車輪３１に伝達される。なお、モータ・ジェネレータ７の回転速度よりも、アウトプットシャフト２５の回転速度の方が低速となる。そして、高速モードが選択された場合における変速機１９の変速比は「ハイ（小変速比）」であり、低速モードが選択された場合に設定される変速機１９の変速比よりも小さい。上記の高速モードと低速モードとの切り換えは、電子制御装置３２に入力される信号に基づいて、自動的におこなわれる。すなわち、変速機１９は自動変速機であるといえる。なお、モード切換装置（図示せず）を車両の室内に設けておき、そのモード切換装置を乗員が操作することで、車速、要求駆動力などの条件とは無関係に、高速モードと低速モードとの切り換えをおこなえる構成を採用してもよい。この場合変速機１９は、手動変速機となる。さらに、変速機１９に、自動変速機および手動変速機の両方の機能を付与することも可能である。
【００３４】
このように、図２に示す車両Ｖｅは、エンジントルクを動力分配装置１０により、車輪３１とモータ・ジェネレータ６とに機械的に分配できるとともに、エンジン１またはモータ・ジェネレータ７のうちの少なくとも一方のトルクを駆動力源とすることのできるハイブリッド車である。さらに、モータ・ジェネレータ６の回転速度を制御することにより、エンジン回転速度を制御することが可能である。
【００３５】
ここで、図１に示すパワートレーンの各回転要素の回転速度および回転方向の一例を、図２の速度線図（共線図）に基づいて説明する。図２において、「正」は回転要素が正方向に回転することを意味し、「負」は、回転要素が逆方向に回転することを意味し、「零」は回転要素が停止することを意味する。また、モータ・ジェネレータ６とエンジン１とアウトプットシャフト２５との関係が線分Ａ１で示され、モータ・ジェネレータ７とアウトプットシャフト２５とサンギヤ２８とリングギヤ２１との関係が、線分Ｌｏおよび線分Ｈｉで示されている。線分Ｌｏは低速モードに相当し、線分Ｈｉは高速モードに相当する。
【００３６】
図２に示す「ＭＧ１」がモータ・ジェネレータ６の回転速度であり、「ＭＧ２」がモータ・ジェネレータ７の回転速度であり、「ＥＮＧ」がエンジン回転速度であり、「車」がアウトプットシャフト２５の回転速度であり、「Ｂ１」がブレーキＢ１により停止されるサンギヤ２８の回転速度であり、「Ｂ２」がブレーキＢ２により停止されるリングギヤ２１の回転速度である。図２においては、エンジン１が正方向に回転するとともに、エンジントルクに対する反力要素となるモータ・ジェネレータ６は逆方向に回転する場合が示されている。
【００３７】
このため、エンジン回転速度が動力分配装置１０により増速されて、エンジン回転速度よりもアウトプットシャフト２５の回転速度の方が高くなっている。また、低速モードまたは高速モードのいずれが選択された場合も、モータ・ジェネレータ７の回転速度よりも、アウトプットシャフト２５の回転速度の方が低い。つまり、変速機１９は、減速機として機能している。なお、図２には示されていないが、Ｎポジションが選択された場合は、ブレーキＢ１，Ｂ２が共に解放される。
【００３８】
つぎに、前述した油圧制御装置５２の構成例を、図３に基づいて説明する。図３において、オイルポンプ５１の吐出口には油路６１が接続されている。また、プライマリレギュレータバルブ６１が設けられており、プライマリレギュレータバルブ６２は、油路６１の油圧に基づいて、ポート６３とポート６４との連通面積を制御する機能を有している。ここで、ポート６３は油路６１に接続され、ポート６４は油路６５を経由してオイルパン６６に接続されている。
【００３９】
前記油路６１には第１のリニアソレノイドバルブ６７および第２のリニアソレノイドバルブ６８が相互に並列に配置されている。まず、第１のリニアソレノイドバルブ６７は、入力ポート６９および出力ポート７０およびドレーンポート７１を有している。入力ポート６９と油路６１とが接続されている。そして、第１のリニアソレノイドバルブ６７に供給される電力の電流値が制御されて、入力ポート６９およびドレーンポート７１と出力ポート７０との連通面積が制御される構成になっている。第１のリニアソレノイドバルブ６７に供給される電力の電流値は、電子制御装置３２により制御される。この第１のリニアソレノイドバルブ６７は、電流値が増加することに比例して、入力ポート６９と出力ポート７０との連通面積が増加する形式のリニアソレノイドバルブ、または電流値が減少することに比例して、入力ポート６９と出力ポート７０との連通面積が増加する形式のリニアソレノイドバルブのいずれを用いてもよい。
【００４０】
一方、出力ポート７０には油路７２を経由して第１の油圧室Ｃ１が接続されている。第１の油圧室Ｃ１は、ブレーキＢ１に対応する油圧室である。さらに、油路７２には絞り部７４が設けられている。絞り部７４の流通面積は、油路７２における絞り部７４以外の部位の流通面積よりも狭く設定されている。なお、絞り部７４は、オリフィスまたはチョークのいずれでもよい。
【００４１】
さらに、油路７２であって、出力ポート７０と絞り部７４との間の所定位置７２Ａにおける油圧を検知する第１の圧力スイッチＣ１Ｌおよび第２の圧力スイッチＣ１Ｈが設けられている。第１の圧力スイッチＣ１Ｌは、検知される油圧が第１の所定圧未満である場合はオフされ、検知される油圧が第１の所定圧以上である場合はオンされる機能を有している。また、第２の圧力スイッチＣ１Ｈは、検知される油圧が第２の所定圧未満である場合はオフされ、検知される油圧が第２の所定圧以上である場合はオンされる機能を有している。ここで、第１の所定圧は第２の所定圧よりも低い。なお、第１の圧力スイッチＣ１Ｌおよび第２の圧力スイッチＣ１Ｈのオン・オフに対応する信号は、電子制御装置３２により処理される。
【００４２】
さらにまた、油路７２であってオリフィス７４と第１の油圧室Ｃ１との間の所定位置７２Ｂには、ダンパ（アキュムレータ）７５が設けられている。ダンパ７５は、ピストン７６および弾性部材７７を有している。ダンパ７５は、所定位置７２Ｂの油圧が上昇すると、ピストン７６が弾性部材７７の付勢力に抗して所定方向に動作するように構成されている。また、所定位置７２Ｂの油圧が低下すると、弾性部材７７の付勢力により、ピストン７６が逆方向に動作する構成となっている。
【００４３】
一方、第２のリニアソレノイドバルブ６８は、入力ポート７８および出力ポート７９およびドレーンポート８０を有している。入力ポート７８と油路６１とが接続されている。そして、第２のリニアソレノイドバルブ６８に供給される電力の電流値が制御されて、入力ポート７８およびドレーンポート８０と出力ポート７９との連通面積が制御される構成になっている。第２のリニアソレノイドバルブ６８に供給される電力の電流値は、電子制御装置３２により制御される。この第２のリニアソレノイドバルブ６８は、電流値が増加することに比例して、入力ポート７８と出力ポート７９との連通面積が増加する形式のリニアソレノイドバルブ、または電流値が減少することに比例して、入力ポート７８と出力ポート７９との連通面積が増加する形式のリニアソレノイドバルブのいずれを用いてもよい。
【００４４】
一方、入力ポート７８と油路６１とが接続され、出力ポート７９には油路８１を経由して第２の油圧室Ｃ２が接続されている。第２の油圧室Ｃ２は、ブレーキＢ２に対応する油圧室である。さらに、油路８１には絞り部８２が設けられている。絞り部８２の流通面積は、油路８１における絞り部８２以外の部位の流通面積よりも狭く設定されている。なお、絞り部８２は、オリフィスまたはチョークのいずれでもよい。
【００４５】
さらに、油路８１であって、出力ポート７９と絞り部８２との間の所定位置８１Ａにおける油圧を検知する第３の圧力スイッチＣ２Ｌおよび第４の圧力スイッチＣ２Ｈが設けられている。第３の圧力スイッチＣ２Ｌは、検知される油圧が第３の所定圧未満である場合はオフされ、検知される油圧が第３の所定圧以上である場合はオンされる機能を有している。また、第４の圧力スイッチＣ２Ｈは、検知される油圧が第４の所定圧未満である場合はオフされ、検知される油圧が第４の所定圧以上である場合はオンされる機能を有している。ここで、第３の所定圧は、第１の所定圧よりも高く、かつ、第２の所定圧よりも低い。また、第４の所定圧は、第２の所定圧よりも高い。第３の圧力スイッチＣ２Ｌおよび第４の圧力スイッチＣ２Ｈのオン・オフに対応する信号は、電子制御装置３２により処理される。
【００４６】
また、第１の所定圧および第２の所定圧は、ブレーキＢ１，Ｂ２の作動開始油圧よりも低い油圧に設定されている。ブレーキＢ１，Ｂ２の作動開始油圧とは、油圧室の油圧が上昇してピストンが動作し、そのピストンが環状のプレートに接触する時点における油圧室の油圧を意味している。言い換えれば、実質的にトルク容量が発生し始める油圧を意味する。さらに、第３の所定圧および第４の所定圧は、変速制御必要油圧よりも高圧に設定されている。変速制御必要油圧とは、回転要素の回転を確実に阻止するために必要なトルク容量を生じさせる油圧を意味する。
【００４７】
さらにまた、油路８１であってオリフィス８２と第２の油圧室Ｃ２との間には、ダンパ（アキュムレータ）８３が設けられている。ダンパ８３は、ピストン８４および弾性部材８５を有している。ダンパ８３は、油路８１であって、オリフィス８２と第２の油圧室Ｃ２との間における所定位置８１Ｂの油圧が上昇すると、ピストン８４が所定方向に動作するように構成されている。また、弾性部材８５によりピストン８４が逆向きに付勢される構成となっている。
【００４８】
つぎに、油圧制御装置５２の機能を具体的に説明する。まず、オイルパン６６のオイルが電動オイルポンプ５１により吸引され、電動オイルポンプ５１から吐出されたオイルは油路６１に供給される。油路６１の油圧が上昇することにともない、ポート６３とポート６４との連通面積が増加して、油路６１から油路６５を経由してオイルパン６６に排出されるオイル量が増加する。したがって、プライマリレギュレータバルブ６２の機能により、油路６１の油圧（ライン圧）が所定圧以下に制御される。
【００４９】
前記Ｎポジションが選択された場合は、第１のリニアソレノイドバルブ６７に供給される電力の電流値が制御されて、入力ポート６９と出力ポート７０との連通面積が減少され、出力ポート７０とドレーンポート７１との連通面積が増加される。その結果、第１の油圧室Ｃ１のオイルが、油路７２および第１のリニアソレノイドバルブ６７を経由して、オイルパン６６にドレーンされて、第１の油圧室Ｃ１の油圧が低下する。したがって、ブレーキＢ１が解放されて制動力が低下する。すなわち、サンギヤ２８の回転を阻止する力が低下する。
【００５０】
また、Ｎポジションが選択された場合は、第２のリニアソレノイドバルブ６８に供給される電力の電流値が制御されて、入力ポート７８と出力ポート７９との連通面積が減少され、出力ポート７９とドレーンポート８０との連通面積が増加される。その結果、第２の油圧室Ｃ２のオイルが、油路８１および第２のリニアソレノイドバルブ６８を経由して、オイルパン６６にドレーンされて、第２の油圧室Ｃ２の油圧が低下する。したがって、ブレーキＢ２が解放されて、制動力が低下する。すなわち、リングギヤ２１の回転を阻止する力が低下する。
【００５１】
つぎに、Ｄポジションが選択され、かつ、低速モードが選択された場合について説明する。この場合は、前述と同様の原理によりブレーキＢ１が解放される。一方、第２のリニアソレノイドバルブ６８に供給される電力の電流値が制御されて、入力ポート７８と出力ポート７９との連通面積が増加され、出力ポート７９とドレーンポート８０との連通面積が減少される。すると、油路６１のオイルが、第２のリニアソレノイドバルブ６８および油路８１を経由して、第２の油圧室Ｃ２に供給されて、第２の油圧室Ｃ２の油圧が上昇する。このようにして、ブレーキＢ２が係合されて、制動力が高められる。すなわち、リングギヤ２１の回転を阻止する力が増加する。
【００５２】
これに対して、Ｄポジションが選択され、かつ、高速モードが選択された場合について説明する。この場合は、前述と同様の原理によりブレーキＢ２が解放される。一方、第１のリニアソレノイドバルブ６７に供給される電力の電流値が制御されて、入力ポート６９と出力ポート７０との連通面積が増加され、出力ポート７０とドレーンポート７１との連通面積が減少される。すると、油路６１のオイルが、第１のリニアソレノイドバルブ６７および油路７２を経由して、第１の油圧室Ｃ１に供給されて、第１の油圧室Ｃ１の油圧が上昇する。このようにして、ブレーキＢ１が係合されて制動力が増加する。すなわち、サンギヤ２８の回転を阻止する力が増加する。
【００５３】
つぎに、Ｄポジションが選択され、かつ、低速モードから高速モードに切り換える場合について説明する。この場合は、係合されているブレーキＢ２が、前述と同様の原理により解放されるとともに、解放されているブレーキＢ１が、前述と同様の原理により係合される。
【００５４】
さらにまた、Ｄポジションが選択され、かつ、高速モードから低速モードに切り換える場合について説明する。この場合は、係合されているブレーキＢ１が、前述と同様の原理により解放されるとともに、解放されているブレーキＢ２が、前述と同様の原理により係合される。
【００５５】
つぎに、ブレーキＢ１，Ｂ２に伝達する油圧を制御するシステムが正常であるか否かを判断する例を、図４の図表に基づいて説明する。図４において、「Ｌｏ段」は低速モードを意味し、「Ｈｉ段」は高速モードを意味する。また、「変速制御中」は、低速モードから高速モードへ切り換える変速制御の途中であることを意味する。さらに、ブレーキに対応する「×」はブレーキが解放されることを意味し、「○」はブレーキが係合されることを意味し、「△」はブレーキが係合から解放、または解放から係合に切り換えられることを意味する。また、油圧スイッチに対応する「×」は油圧スイッチがオフされることを意味し、「○」は油圧スイッチがオンされることを意味する。
【００５６】
前述のようにＮポジションが選択された場合は、ブレーキＢ１，Ｂ２を共に解放するために、油路７２，８１の油圧が第１の所定圧未満に制御される。したがって、Ｎポジションが選択されている場合は、第１の油圧スイッチＣ１Ｌおよび第２の油圧スイッチＣ１Ｈおよび第３の油圧スイッチＣ２Ｌおよび第４の油圧スイッチＣ２Ｈが全てオフされた場合に、システムが正常であると判断される。これに対して、いずれかの油圧スイッチがオンされた場合は、その油圧スイッチにより検知される油圧を制御するシステムが異常であると判断される。特に、第１の油圧スイッチＣ１Ｌおよび第２の油圧スイッチＣ１Ｈが共にオンされた場合は、ブレーキＢ１が係合する異常と判断され、第３の油圧スイッチＣ２Ｌおよび第４の油圧スイッチＣ２Ｈが共にオンされた場合は、ブレーキＢ２が係合する異常と判断される。
【００５７】
また、低速モードが選択された場合は、ブレーキＢ２を係合するために、油路８１の油圧が第４の所定圧以上に制御される。また、ブレーキＢ１を解放するために、油路７２の油圧が第１の所定圧未満に制御される。したがって、低速モードが選択されている場合は、第１の油圧スイッチＣ１Ｌおよび第２の油圧スイッチＣ１Ｈが共にオフされた場合に、システムが正常であると判断される。これに対して、第１の油圧スイッチＣ１Ｌまたは第２の油圧スイッチＣ１Ｈの少なくとも一方オンされた場合は、システムが異常であると判断される。また、第３の油圧スイッチＣ２Ｌおよび第４の油圧スイッチＣ２Ｈが共にオンされた場合は、システムが正常であると判断される。これに対して、第３の油圧スイッチＣ２Ｌまたは第４の油圧スイッチＣ２Ｈの少なくとも一方が共にオフされた場合は、システムの異常と判断する。
【００５８】
また、高速モードが選択された場合は、ブレーキＢ１を係合するために、油路７２の油圧が第２の所定圧以上に制御される。また、ブレーキＢ２を解放するために、油路８１の油圧が第３の所定圧未満に制御される。したがって、高速モードが選択された場合は、第１の油圧スイッチＣ１Ｌおよび第２の油圧スイッチＣ１Ｈが共にオンされた場合に、システムが正常であると判断される。これに対して、第１の油圧スイッチＣ１Ｌまたは第２の油圧スイッチＣ１Ｈの少なくとも一方オフされた場合は、システムが異常であると判断される。また、第３の油圧スイッチＣ２Ｌおよび第４の油圧スイッチＣ２Ｈが共にオフされた場合は、システムが正常であると判断される。
【００５９】
これに対して、第３の油圧スイッチＣ２Ｌまたは第４の油圧スイッチＣ２Ｈの少なくとも一方がオンされた場合は、システムが異常であると判断する。なお、システムが異常となる原因としては、リニアソレノイドバルブ自体の動作不良、リニアソレノイドバルブに電力を供給する回路の断線もしくはショートなどが挙げられる。
【００６０】
つぎに、低速モードから高速モードに切り換える場合において、第１の油圧室Ｃ１および第２の油圧室Ｃ２の油圧の制御例を、図５のタイムチャートにより説明する。図５に示す第１の油圧室Ｃ１および第２の油圧室Ｃ２の油圧の制御例は、第１の油圧室Ｃ１および第２の油圧室Ｃ２の油圧の目標値の一例である。線分Ｃ１が第１の油圧室Ｃ１の油圧を意味し、線分Ｃ２が第２の油圧室Ｃ２の油圧を意味する。時刻ｔ１以前は、Ｎポジションが選択されている場合に相当する。したがって、時刻ｔ１以前においては、第１の油圧室Ｃ１の油圧および第２の油圧室Ｃ２の油圧は、共に第１の所定圧Ｃ１Ｌ未満に制御されている。そして、時刻ｔ１で低速モードが選択されると、第２の油圧室Ｃ２の油圧が第４の所定圧ＣＨ２以上に制御され、第１の油圧室Ｃ１の油圧は第１の所定圧Ｃ１Ｌ未満に制御されている。
【００６１】
さらに、時刻ｔ２において、低速モードから高速モードに切り換える判断が成立し、第１の油圧室Ｃ１の油圧を高める一方、第２の油圧室Ｃ２の油圧を低下させる制御が実行されている。具体的には、時刻ｔ２から時刻ｔ４に至る間において、第２の油圧室Ｃ２の油圧は第４の所定圧未満であり、かつ、第３の所定圧以上に制御され、第１の油圧室Ｃ１の油圧が第１の所定圧以上に制御され、かつ、第２の所定圧未満に制御されている。また、時刻ｔ３と時刻ｔ４との間で、第２の油圧室Ｃ２の油圧の方が第１の油圧室Ｃ１の油圧よりも低くなっている。
【００６２】
そして、時刻ｔ２から時刻ｔ４に至る間においては、第１の油圧室Ｃ１の油圧が、第１の所定圧以上であり、かつ、第２の所定圧未満に制御されている。したがって、図４の「変速制御中」に示すように、第１の油圧スイッチＣ１Ｌがオンされ、第２の油圧スイッチＣ１Ｈがオフされる。また、第２の油圧室Ｃ２の油圧は、第３の所定圧以上であり、かつ、第４の所定圧未満に制御されている。したがって、第３の油圧スイッチＣ２Ｌがオンされ、第４の油圧スイッチＣ２Ｈがオフされる。
【００６３】
そして、時刻ｔ４以降は、第１の油圧室Ｃ１の油圧が第２の所定圧Ｃ１Ｈ以上に制御されている。また、第２の油圧室Ｃ２の油圧は、時刻ｔ５に至るまで、第３の所定圧以上であり、かつ、第４の所定圧未満に制御されている。その後、時刻ｔ５で、第２の油圧室Ｃ２の油圧が、第３の所定圧未満に制御されて、変速制御が終了している。
【００６４】
このように、低速モードから高速モードに切り換える変速制御中においては、第１の油圧スイッチＣ１Ｌがオンされ、第２の油圧スイッチＣ１Ｈがオフされるとともに、第３の油圧スイッチＣ２Ｌがオンされ、第４の油圧スイッチＣ２Ｈがオフされた場合に、システムが正常であると判断される。これに対して、低速モードから高速モードへの変速制御中に、第１の油圧スイッチＣ１Ｌがオフされ、かつ、第２の油圧スイッチＣ１Ｈがオフされた場合は、ブレーキＢ１に対応するシステムが異常、具体的には「ブレーキＢ１が解放された状態となるフェールである」と判断される。また、第３の油圧スイッチＣ２Ｌがオフされ、かつ、第４の油圧スイッチＣ１Ｈがオフされた場合は、ブレーキＢ２に対応するシステムが異常、具体的には「ブレーキＢ２が解放された状態となるフェールである」と判断される。
【００６５】
上記のように、この実施例においては、オン・オフされる油圧が異なる２種類の油圧スイッチにより、油路７４，８１の油圧をそれぞれ検知している。したがって、低速モードから高速モードに変更する制御の途中で、「ブレーキＢ１，Ｂ２が共に解放された状態となるフェールであること」を判断することが可能である。
【００６６】
つぎに、油圧変化の検知時期について説明する。まず、油路６１から第１の油圧室Ｃ１にオイルを供給して、ブレーキＢ１を係合させる場合に、オイルの流れ方向で、第１の油圧スイッチＣ１Ｌおよび第２の油圧スイッチＣ１Ｈは、第１の油圧室Ｃ１よりも上流に位置している。したがって、第１の油圧室Ｃ１の油圧が変化（上昇）する時期よりも、所定位置７２Ａにおける油圧変化を早期に検知することが可能である。
【００６７】
さらに、所定位置７２Ａと第１の油圧室Ｃ１との間にオリフィス７４が配置されている。このため、オイルを第１の油圧室Ｃ１に供給する場合は、所定位置７２Ａにおける油圧の上昇程度は、第１の油圧室Ｃ１の油圧の上昇程度よりも早く（大きくまたは多く）なる。したがって、第１の油圧スイッチＣ１Ｌおよび第２の油圧スイッチＣ１Ｈによる油圧の検知時期の早期化を、一層促進することが可能である。
【００６８】
また、この実施例においては、第１の油圧室Ｃ１のオイルをオイルパン６６にドレーンして、ブレーキＢ１を解放させる場合に、オイルの流れ方向で、第１の油圧スイッチＣ１Ｌおよび第２の油圧スイッチＣ１Ｈは、第１の油圧室Ｃ１よりもオイルパン６６に近い位置に設けられている。したがって、第１の油圧室Ｃ１の油圧が変化（低下）する時期よりも、所定位置７２Ａにおける油圧の変化を早期に検知することが可能である。
【００６９】
さらに、所定位置７２Ａと第１の油圧室Ｃ１との間にオリフィス７４が配置されている。このため、第１の油圧室Ｃ１のオイルをドレーンする場合は、所定位置７２Ａにおける油圧の低下程度は、第１の油圧室Ｃ１の油圧の低下程度よりも早く（大きくまたは多く）なる。したがって、第１の油圧スイッチＣ１Ｌおよび第２の油圧スイッチＣ１Ｈによる油圧の検知時期の早期化を、一層促進することが可能である。
【００７０】
一方、油路８１について説明する。油路８１から第２の油圧室Ｃ２にオイルを供給して、ブレーキＢ２を係合させる場合に、オイルの流れ方向で、第３の油圧スイッチＣ２Ｌおよび第４の油圧スイッチＣ２Ｈは、第２の油圧室Ｃ２よりも上流に位置している。したがって、第２の油圧室Ｃ２の油圧が変化（上昇）する時期よりも、所定位置８１Ａにおける油圧の変化を早期に検知することが可能である。
【００７１】
さらに、所定位置８１Ａと第２の油圧室Ｃ２との間にオリフィス８２が配置されている。このため、オイルを第２の油圧室Ｃ２に供給する場合は、所定位置８１Ａにおける油圧の上昇程度は、第２の油圧室Ｃ２の油圧の上昇程度よりも早く（大きくまたは多く）なる。したがって、第３の油圧スイッチＣ２Ｌおよび第４の油圧スイッチＣ２Ｈによる油圧の検知時期の早期化を、一層促進することが可能である。
【００７２】
さらに、第２の油圧室Ｃ２のオイルをオイルパン６６にドレーンして、ブレーキＢ２を解放させる場合に、オイルの流れ方向で、第３の油圧スイッチＣ２Ｌおよび第４の油圧スイッチＣ２Ｈは、第２の油圧室Ｃ２よりもオイルパン６６に近い位置に設けられている。したがって、第２の油圧室Ｃ２の油圧が変化（低下）する時期よりも、所定位置８１Ａにおける油圧変化を早期に検知することが可能である。
【００７３】
さらに、所定位置８１Ａと第２の油圧室Ｃ２との間にオリフィス８２が配置されている。このため、第２の油圧室Ｃ２のオイルをドレーンする場合は、所定位置８１Ａにおける油圧の低下程度は、第２の油圧室Ｃ２の油圧の低下程度よりも早く（大きくまたは多く）なる。したがって、第３の油圧スイッチＣ２Ｌおよび第４の油圧スイッチＣ２Ｈによる油圧の検知時期の早期化を、一層促進することが可能である。なお、上記の説明は、低速モードから高速モードに切り換える場合における説明であるが、高速モードから低速モードに切り換える変速制御中においても、前述と同様の原理により、ブレーキＢ１，Ｂ２を係合・解放するシステムの異常を検出可能である。
【００７４】
つぎに、ダンパ７５，８３の機能について説明する。まず、ダンパ７５は、所定位置７２Ｂにおける油圧に応じて動作する。具体的には、所定位置７２Ｂの油圧が所定値未満である場合は、ピストン７６は初期位置で停止している。そして、ブレーキＢ１を係合する場合に、所定位置７２Ｂの油圧が所定値以上に上昇すると、ピストン７６が弾性部材７７の付勢力に抗して所定方向に動作するとともに、動作限界位置でピストン７６が停止する。これに対して、ブレーキＢ１を解放する場合は、動作限界位置に停止しているピストン７６が、所定位置７２Ｂの油圧が低下することにともない逆方向に動作し、ついで、前記初期位置でピストン７６が停止する。
【００７５】
そして、ダンパ７５のピストン７６の動作油圧の範囲を定める下限値と上限値とが、以下のように設定されている。ここで、下限値とは、初期位置に停止しているピストン７６が、所定位置７２Ｂの油圧の上昇にともない所定方向に動作し始める油圧を意味し、上限値とは、動作限界位置に停止しているピストン７６が、所定位置７２Ｂの油圧の低下にともない逆方向に動作し始める油圧を意味する。したがって、下限値よりも上限値の方が高圧である。より具体的には、下限値は、ブレーキＢ１の作動開始油圧よりも所定値α低圧に設定されている。また、上限値は、ブレーキＢ１の変速制御必要油圧よりも所定値α高圧に設定されている。
【００７６】
このため、ブレーキＢ１を係合させる場合は、初期位置に停止しているピストン７６が所定方向に動作して、動作限界位置に停止するまでの間に対応する時間、オリフィス７４を通過するオイルの一部をダンパ７５に貯留することにより、第１の油圧室Ｃ１の油圧の上昇を遅延させることが可能である。これに対して、ブレーキＢ１を解放させる場合は、動作限界位置に停止しているピストン７６が逆方向に動作することにともない、第１の油圧室Ｃ１の油圧が変速制御必要油圧まで低下するよりも先行して、ダンパ７５からオイルをドレーンさせることにより、第１の油圧室Ｃ１の油圧の低下を遅延させることが可能である。したがって、ブレーキＢ１を係合する場合、またはブレーキＢ１を解放する場合のいずれにおいて、第１の油圧スイッチＣ１Ｌおよび第２の油圧スイッチＣ１Ｈによる油圧の検知時期の早期化を、一層促進することが可能である。
【００７７】
なお、ダンパ８３の機能は、基本的にダンパ７５の機能と同じであり、ダンパ７５の機能に関して述べた説明のうち、オリフィス７４をオリフィス８２と読み替え、第１の油圧室Ｃ１を第２の油圧室Ｃ２と読み替え、ピストン７６をピストン８４と読み替え、ブレーキＢ１をブレーキＢ２と読み替え、ダンパ７５をダンパ８３と読み替え、弾性部材７７を弾性部材８５と読み替え、第１の油圧スイッチＣ１Ｌを第３の油圧スイッチＣ２Ｌと読み替え、第２の油圧スイッチＣ１Ｈを第４の油圧スイッチＣ２Ｈと読み替えればよい。
【００７８】
つぎに、この実施例において実行可能な制御例を、図６のフローチャートに基づいて説明する。まず、電子制御装置３２に入力される信号が処理され（ステップＳ１）、ブレーキＢ１，Ｂ２が共に解放された状態となるフェールが生じたか否かが判断される（ステップＳ２）。このステップＳ２で肯定的に判断された場合は、フェールに対処する制御を実行し（ステップＳ３）、この制御ルーチンを終了する。また、ステップＳ２で否定的に判断された場合は、そのまま制御ルーチンを終了する。
【００７９】
上記のステップＳ３においては、例えば、つぎの２種類の制御のうちの少なくとも一方の制御を実行可能である。まず、第１の制御は、エンジン１の動力を動力分配装置１０に伝達するとともに、モータ・ジェネレータ６を反力要素として機能させ、エンジン１の動力を車輪３１に伝達して駆動力を発生させる制御である。なお、元々、エンジン１が運転されていた場合は、エンジントルクを増加させる制御を実行可能である。このような制御により、駆動力の急激な変化による車両挙動の急激な変化を抑制できる。
【００８０】
また、第２の制御は、モータ・ジェネレータ７の回転速度が所定回転速度以上になること（オーバーレブ）を防止する制御である。すなわち、モータ・ジェネレータ７の動力を車輪３１に伝達する場合、ブレーキＢ１またはブレーキＢ２が反力要素となるが、ブレーキＢ１，Ｂ２が共に解放されるフェールが生じた場合に、モータ・ジェネレータ７が電動機として駆動されると、サンギヤ２８またはリングギヤ２１が、図２で説明した逆方向に回転して、モータ・ジェネレータ７の回転速度が所定値以上となる可能性があり、これを防止するために第２の制御を実行する。なお、第１の制御または第２の制御のいずれを実行する場合も、ブレーキＢ１，Ｂ２が共に解放するフェールが生じていることを、車両の乗員に告知する制御が実行される。この告知は、告知装置（図示せず）により実行される。告知装置による告知は、音声、文字、画像、記号などのいずれを使用した告知でもよい。なお、モータ・ジェネレータ７の回転速度は、回転数と等価のパラメータであり、回転速度の代わりに回転数を用いることも可能である。
【００８１】
ここで、この実施例で説明した事項と、各請求項の発明の構成との対応関係を説明すれば、ブレーキＢ１，Ｂ２が、この発明の複数の制御装置および摩擦係合装置に相当し、サンギヤ２８およびリングギヤ２１が、この発明の複数の回転部材に相当する。また、「ブレーキＢ１，Ｂ２の制動力、つまり、サンギヤ２８およびリングギヤ２１の回転を阻止する力」が、この発明の「複数の回転部材に加えられる力」に相当する。また、第１の油圧室Ｃ１および第２の油圧室Ｃ２の油圧、油路７２，８１の油圧などにより、この発明の「複数の回転部材に加えられる力」が判断される。
【００８２】
また、「リニアソレノイドバルブ６７，６８自体の動作不良、リニアソレノイドバルブ６７，６８に電力を供給する電気回路の断線もしくはショートなどにより、第１の油圧室Ｃ１の油圧および第２の油圧室Ｃ２の油圧を、図５に基づいて説明した目標値に制御することが困難な状態」、より具体的には「ブレーキＢ１，Ｂ２が解放された状態となる異常」、および「ブレーキＢ１，Ｂ２が係合された状態となる異常」が、この発明の「複数の制御装置の異常」に相当し、第１の油圧スイッチＣ１Ｌおよび第３の油圧スイッチＣ２Ｌが、この発明の第１の油圧検知装置に相当し、第２の油圧スイッチＣ１Ｈおよび第４の油圧スイッチＣ２Ｈが、この発明の第２の油圧検知装置に相当する。
【００８３】
また、第２の所定圧および第４の所定圧が、この発明の第１の所定値に相当し、第１の所定圧および第３の所定圧が、この発明の第２の所定値に相当し、第１の油圧室Ｃ１および第２の油圧室Ｃ２の油圧が低下した場合、または、ブレーキＢ１，Ｂ２が共に解放された場合が、この発明の「複数の回転部材に加えられる力がそれぞれ低下していると判断される場合」に相当する。さらに、エンジン１が、この発明の第１の駆動力源に相当し、モータ・ジェネレータ７が、この発明の第２の駆動力源に相当し、油路７２，８１が、この発明の油路に相当する。また、電子制御装置３２が、この発明の判断装置および回転速度抑制装置および駆動力制御装置に相当する。
【００８４】
この実施例においては、油路の油圧を検知する油圧検知装置として、油圧検知スイッチが挙げられているが、油圧検知装置には油圧検知センサも含まれる。また、図２の油圧制御装置においては、各油路に検知可能な所定圧が異なる複数の油圧スイッチが設けられているが、複数の所定圧を検知可能な単一の油圧センサを、各油路に１個ずつ配置することも可能である。
【００８５】
なお、図１のパワートレーンにおいては、変速機として遊星歯車式変速機が用いられているが、各請求項に記載された発明の変速機には、選択歯車式変速機も含まれる。また、複数の制御装置として、摩擦係合装置の一種であるブレーキが挙げられているが、各請求項に記載された発明の複数の制御装置には、油圧制御式の摩擦係合装置の一種であるクラッチ、電磁制御式のブレーキやクラッチも含まれる。この電磁制御式のブレーキやクラッチを用いる場合、回転部材に加えられる力は、供給される電力の電流値、または発生する電磁力に基づいて判断される。また、各請求項に記載された発明の複数の制御装置には、油圧制御式または電磁制御式の同期噛み合い機構も含まれる。これらのクラッチやブレーキ、同期噛み合い機構は、変速機の構造などに応じて使い分けられる。また、クラッチを用いる場合は、そのクラッチにより生じるトルク伝達力が、各請求項に記載された発明の「複数の回転部材に加えられる力」に相当する。また、油圧御式のクラッチやブレーキを用いる場合、係合圧、挟持力、摩擦力などにより、「複数の回転部材に加えられる力」を判断することも可能である。
【００８６】
また、特許請求の範囲の各請求項に記載された判断装置を、判断器または判断用コントローラと読み替え、回転速度抑制装置を回転速度抑制器または回転速度抑制用コントローラと読み替え、駆動力制御装置を、駆動力制御器または駆動力制御用コントローラと読み替えることも可能である。この場合、図２に示された電子制御装置３２が、判断器、判断用コントローラ、回転速度抑制器、回転速度抑制用コントローラ、駆動力制御器、駆動力制御用コントローラに相当する。さらに特許請求の範囲の各請求項に記載された判断装置を判断ステップと読み替え、回転速度抑制装置を回転速度抑制ステップと読み替え、駆動力制御装置を、駆動力制御ステップと読み替え、変速機の異常検出装置を、変速機の異常検出方法と読み替えることも可能である。この場合、図６に示されたステップＳ１，Ｓ２が、判断ステップに相当し、ステップＳ３が、回転速度抑制ステップおよび駆動力制御ステップに相当する。
【００８７】
【発明の効果】
以上説明したように請求項１の発明によれば、各制御装置から各回転部材に加えられる力が、第１の所定値未満であり、かつ、第２の所定値未満である場合は、「複数の制御装置から各回転部材に加えられる力がそれぞれ低下している」という異常と判断することができる。
【００８８】
請求項２の発明によれば、請求項１の発明と同様の効果を得ることができる他に、第２の駆動力源から車輪に至る動力伝達経路に設けられている変速機の異常を検出することができる。
【００８９】
請求項３の発明によれば、請求項１または２の発明と同様の効果を得ることができる他に、摩擦係合装置の係合油圧の低下を検出できる。
【００９０】
請求項４の発明によれば、請求項３の発明と同様の効果を得ることができる他に、摩擦係合装置で係合油圧の不足が生じる前に、油圧の異常を検出できる。
【００９１】
請求項５の発明によれば、請求項２ないし４のいずれかの発明と同様の効果を得ることができる他に、複数の制御装置から複数の回転部材に加えられる力が低下する異常があると判断された場合は、第２の駆動力源の回転速度の上昇を抑制することができる。
【００９２】
請求項６の発明によれば、請求項２の発明と同様の効果を得ることができる他に、複数の制御装置から回転部材に加えられる力が低下する異常がある場合は、第１の駆動力源から車輪に伝達される動力により、車両の駆動力を生成することができる。
【図面の簡単な説明】
【図１】この発明を実行可能なハイブリッド車のパワートレーンおよび制御系統を示す概念図である。
【図２】図１に示す車両の回転部材の状態を示す速度線図である。
【図３】この発明の異常検出装置で異常の有無が検出される油圧制御装置の油圧回路図である。
【図４】図１および図３に示すシステムにおいて、各ブレーキおよび各油圧スイッチの状態を示す図表である。
【図５】図１に示すブレーキ同士の係合・解放を切り換える過程の油圧を示すタイムチャートの一例である。
【図６】この発明の検出装置に関する制御例を示すフローチャートである。
【符号の説明】
１…エンジン、  ６，７…モータ・ジェネレータ、  １０…動力分配装置、  １９…変速機、  ２１…リングギヤ、  ２８…ギヤ、  ３１…車輪、  ３２…電子制御装置、  ５２…油圧制御装置、  Ｂ１，Ｂ２…ブレーキ、  Ｖｅ…車両（ハイブリッド車）。
【図１】
2005009590.tif 000003
【図２】
2005009590.tif 000004
【図３】
2005009590.tif 000005
【図４】
2005009590.tif 000006
【図５】
2005009590.tif 000007
【図６】
2005009590.tif 000008